(57)【要約】      （修正有）【課題】カバーが外れにくい芳香拡散器を提供する。【解決手段】芳香体２と芳香体を収容できる収容部３と当該収容部を覆うカバー部４とからなる芳香拡散器であって、収容部は、略円筒状の側面に溝部６と芳香体を収容する為の開口部５とを設け、両底面の内一方の第一底面を構成する内周面が開口されており、当該内周面に弾性を有する梁が設けられ、当該梁に接触体が第一底面から外側に向かって突出して連結されており、カバー部は、裏面から形成される円状又は弧状の壁の内側に突起部１１が設けられ、収容部の接触体をカバー部の裏面に向けて、押しまわすことで、カバー部の突起部が収容部の溝部をロック位置まで移動して着脱可能に留められる。【選択図】図５
0003225026.tif 000002
【実用新案登録請求の範囲】
【請求項１】
芳香体と芳香体を収容できる収容部と当該収容部を覆うカバー部とからなる芳香拡散器であって、収容部は、略円筒状の側面に溝部と芳香体を収容する為の開口部とを設け、両底面の内一方の第一底面を構成する内周面が開口されており、当該内周面に弾性を有する梁が設けられ、当該梁に接触体が第一底面から外側に向かって突出して連結されており、カバー部は、裏面から形成される円状又は弧状の壁の内側に突起部が設けられ、収容部の接触体をカバー部の裏面に向けて、押しまわすことで、カバー部の突起部が収容部の溝部をロック位置まで移動して着脱可能に留められることを特徴とする芳香拡散器。
【請求項２】
芳香体と芳香体を収容できる収容部と当該収容部を覆うカバー部とからなる芳香拡散器であって、収容部は、略円筒状の側面に突起部と芳香体を収容する為の開口部とを設け、両底面の内一方の第一底面を構成する内周面が開口されており、当該内周面に弾性を有する梁が設けられ、当該梁に接触体が第一底面から外側に向かって突出して連結されており、カバー部は、裏面から形成される円状又は弧状の壁の内側に溝部が設けられ、収容部の接触体をカバー部の裏面に向けて、押しまわすことで、収容部の突起部がカバー部の溝部をロック位置まで移動して着脱可能に留められることを特徴とする芳香拡散器。
【請求項３】
収容部は、第一底面に対面する第二底面の表面から外側に向かってクリップを設けていることを特徴とする請求項１又は請求項２に記載の芳香拡散器。
【請求項４】
カバー部は、少なくとも１か所以上の通気口を有することを特徴とする請求項１乃至請求項３の何れかに記載の芳香拡散器。
【考案の詳細な説明】
【技術分野】
【０００１】
本考案は、芳香拡散器に関する。
【背景技術】
【０００２】
従来、液体や固体状の芳香部をカバーで隠して使用するタイプの芳香拡散器としては、係り留め式、ネジまわし式による留め合わせのものが知られている。
【特許文献１】特願平１０−６８９６０
【非特許文献１】実願２０１０−１６８８
【０００３】
しかし、係り留め式は、突発的な外部からの衝撃で外れやすく、ネジまわし式では、いつの間にか緩くなり、逆に強く締めすぎてカートリッジ交換の際外しにくい点で問題があった。
【考案の概要】
【考案が解決しようとする課題】
【０００４】
そこで、反発構造を取り入れた芳香体収容部をカバー部に押し当ててまわすことにより、ロックされ、カバー部が外れにくい従来にない芳香拡散器の開発に成功した。
【課題を解決するための手段】
【０００５】
請求項１記載の考案は、芳香体と芳香体を収容できる収容部と当該収容部を覆うカバー部とからなる芳香拡散器であって、収容部は、略円筒状の側面に溝部と芳香体を収容する為の開口部とを設け、両底面の内一方の第一底面を構成する内周面が開口されており、当該内周面に弾性を有する梁が設けられ、当該梁に接触体が第一底面から外側に向かって突出して連結されており、カバー部は、裏面から形成される円状又は弧状の壁の内側に突起部が設けられ、収容部の接触体をカバー部の裏面に向けて、押しまわすことで、カバー部の突起部が収容部の溝部をロック位置まで移動して着脱可能に留められることを特徴とする。
【０００６】
請求項２記載の考案は、芳香体と芳香体を収容できる収容部と当該収容部を覆うカバー部とからなる芳香拡散器であって、収容部は、略円筒状の側面に突起部と芳香体を収容する為の開口部とを設け、両底面の内一方の第一底面を構成する内周面が開口されており、当該内周面に弾性を有する梁が設けられ、当該梁に接触体が第一底面から外側に向かって突出して連結されており、カバー部は、裏面から形成される円状又は弧状の壁の内側に溝部が設けられ、収容部の接触体をカバー部の裏面に向けて、押しまわすことで、収容部の突起部がカバー部の溝部をロック位置まで移動して着脱可能に留められることを特徴とする。
【０００７】
請求項３記載の考案は、収容部は、更に第一底面に対面する第二底面の表面から外側に向かってクリップを設けていることを特徴とする。
【０００８】
請求項４記載の考案は、カバー部は、更に少なくとも１か所以上の通気口を有することを特徴とする。
【考案の効果】
【０００９】
本考案は以上説明したような形態で実施され、次のような効果を有する。
【００１０】
請求項１記載の考案によれば、収容部に収容された芳香体の交換が容易で、且つカバー部が外れにくい芳香拡散器を提供することが出来る。
【００１１】
請求項２記載の考案によれば、収容部に収容された芳香体の交換が容易で、且つカバー部が外れにくい芳香拡散器を提供することが出来る。
【００１２】
請求項３記載の考案によれば、クリップを車内等に取付けることで、使用範囲が広がる。
【００１３】
請求項４記載の考案によれば、芳香する方向を位置決めできる。
【図面の簡単な説明】
【００１４】
【図１】芳香拡散器の一態様を示す図
【図２】芳香拡散器を構成する収容部の一態様を示す図
【図３】芳香拡散器を構成する収容体の側面の一態様を示す図
【図４】芳香拡散器を構成するカバー部の一態様を示す図
【図５】芳香拡散器を構成するパーツの一態様を示す図
【考案を実施するための形態】
【００１５】
芳香体２と芳香体を収容できる収容部３と当該収容部を覆うカバー部４とからなる芳香拡散器であって、収容部３は、略円筒状の側面１４に溝部６と芳香体２を収容する為の開口部５とを設け、両底面の内一方の第一底面１６を構成する内周面が開口されており、当該内周面に弾性を有する梁８が設けられ、当該梁８に接触体９が第一底面１６から外側に向かって突出して連結されており、カバー部４は、裏面から形成される円状又は弧状の壁１０の内側に突起部１１が設けられ、収容部３の接触体９をカバー部４の裏面に向けて、押しまわすことで、カバー部４の突起部１１が収容部３の溝部６をロック位置１２まで移動して着脱可能に留められることを特徴とする芳香拡散器１とする。
【実施例１】
【００１６】
まず、図２、図３、図４のように収容部３は、略円筒状の側面１４に溝部６と芳香体２を収容する為の開口部５とを設け、両底面の内一方の第一底面１６を構成する内周面を開口し、当該内周面に弾性を有する梁８を設け、当該梁８に接触体９を第一底面１６から外側に向かって突出するよう連結する。
【００１７】
このとき、開口部５は、略円筒状の側面１４に設ける溝部６に必要な面以外の側面を１か所開口し、芳香体２を収容する為に使用する。
【００１８】
溝部６は、図２、図３、図４のようにカバー部４の突起部１１が移動するための溝であって、収容部の側面１４の外側に設けられ、溝の終端がロック位置１２となっている。
【００１９】
この溝部６は、開口部５を除く側面中のどの位置に設けても構わないが、第一底面１６の外周線と外周円の中心を通る直径線の交点から、外周線に対し垂直に縦方向へ側面を進み、当該側面中心付近で直角に横方向に進めて、更に直角に縦方向へ第一底面１６に向かって進んでロック位置１２を構成する。
【００２０】
溝部６は、対する側面に２か所構成するのが望ましいが、更に、溝部６を１つ増やす場合は、側面に設けた２か所の溝部間の中間付近に設けることが望ましい。
【００２１】
また、第一底面１６は、外周円と内周円からなっており、内周面は開口している。
【００２２】
梁８は、内周面の開口面に少なくとも１本設けられ、梁８が１本の場合は、内周面の円の中心を通る直線とし、図２のように２本の場合は、内周面の円の直径から平行に等間隔の距離に設けることが望ましい。
【００２３】
また、図示しないが、複数本の梁により、十字状や網目状に設けても構わない。
【００２４】
梁８は、接触体９が押される方向に撓むように本数とその太さを調節する必要がある。
【００２５】
接触体９は、第一底面１６の内周よりも小さく、扁平な柱形状であって、梁８に連結した際、第一底面１６から外側に向かって突出させる。
【００２６】
そして、扁平な柱形状であれば良く、円柱形状でも多角柱形状でもその他の柱形状であっても、また、内面は、開口部の有無にかかわらず採用できる。
【００２７】
収容部３は、更に第一底面１６に対面する第二底面１７の表面から外側に向かってクリップ１３を設けることで、車用芳香拡散器とすることが出来る。
【００２８】
クリップ１３は、主に車内のエアーコンディショナー吹き出し口のルーバーに挟むものであって、形状等は特に限定しない。
【００２９】
また、クリップ１３は、図５のように取り外し可能にしたものであっても、収容部３と一体成型でも構わない。
【００３０】
次に、カバー部４は、裏面から形成される円状又は弧状の壁の内側に突起部１１を設ける。
【００３１】
円状の壁１０は、円状の円周に沿って延設した壁であって、内径が円筒状の収容部３の外径よりやや大きく形成することで、円筒状の収容部３を収容できるものとする。
【００３２】
また、弧状の壁１０は、円状の壁１０の円周線の一部の長さを延設した対面する壁である。
【００３３】
突起部１１の幅は、収容部側面に設けた縦方向と横方向の溝部６の幅より小さく成形する。
【００３４】
突起部１１の中心位置は、収容部３の第一底面１６に設けた接触体９がカバー部４の裏面に押し付けられて、裏面と反対方向に凹んだ状態で収容部側面に設けた横方向の溝幅の中心と向かい合う位置とする。
【００３５】
そして、収容部３の接触体９をカバー部４の裏面に向けて押しまわして、カバー部４の突起部１１が収容部３の溝部６をロック位置１２まで移動させる。
【００３６】
このとき、梁８は、接触体９が押される方向に撓み、ロック位置において押される方向と反対方向に反発して戻ることで、ロックがかかる。
【００３７】
カバー部４を外す際は、少し力を入れて、押しながら反対方向に回すことでロックが解除され得る。
【００３８】
カバー部４は、図１、図４、図５のようにプレート状の外周から内側に向かって一定の幅で側面を形成する。
【００３９】
側面により、収容部３を覆い、側面のデザイン性を高めることが出来る為である。
【００４０】
また、カバー部４の形状は、実施例に限定されず、プレート状のみで形成しても良いし、その他の形状であっても構わない。
【００４１】
カバー部４は、更に少なくとも１か所以上の通気口１５を設けておく。
【００４２】
通気口１５の数や位置、大きさ等を変えることで、芳香拡散器１の室内用、車内用等の用途に合わせて使用を可能とする為である。
【００４３】
通気口１５の形状は、任意の形状でデザイン性を高めることが出来る。
【００４４】
図４、図５においては、通気口１５は側面部に２か所設けてあるが、カバー部４のどの位置に設けても構わない。
【００４５】
なお、カバー部の突起部１１と収容部の溝部６の組み合わせで実施例を説明してきたが、カバー部に溝部を設け、収容部に当該溝部に対応する突起部を設けた組み合わせにおいても同様の効果を生じ得る。
【００４６】
芳香体２は、香料を染み込ませ又は練り込んだ、セラミック、樹脂、紙、スポンジなどであって、収容体３から液が漏れないものが望ましい。
【００４７】
香料は、天然香料、合成香料、これらを混合したものが使用可能である。
【００４８】
これらに、消臭剤を加えても構わない。
【００４９】
芳香体２の形状は、円筒形状又は円柱形状が望ましく、その他の形状でも構わない。
【００５０】
ここまで、実施例を通して芳香拡散器１を示したが、本考案はその実施例に限定されるものではなく、本考案の要旨の範囲内で種々に改変できる。
【符号の説明】
【００５１】
１．芳香拡散器  ２．芳香体  ３．収容部  ４．カバー部  ５．開口部  ６．溝部  ７．内周面  ８．梁  ９．接触体  １０．壁  １１．突起部  １２．ロック位置  １３．クリップ  １４．側面  １５．通気口  １６．第一底面  １７．第二底面
【図１】
0003225026.tif 000003
【図２】
0003225026.tif 000004
【図３】
0003225026.tif 000005
【図４】
0003225026.tif 000006
【図５】
0003225026.tif 000007